【手続補正書】
【提出日】平成17年2月1日(2005.2.1)
【手続補正１】
【補正対象書類名】明細書
【補正対象項目名】特許請求の範囲
【補正方法】変更
【補正の内容】
【特許請求の範囲】
【請求項１】
電子装置本体と、前記電子装置本体に対して脱着可能な電子機器とから構成される電子装置であって、
前記電子機器は、電子回路と、前記電子回路に接続される第１のコネクタと、前記電子機器に帯電した静電気を除去する静電気除去手段と、を備え、
前記電子装置本体は、前記第１のコネクタに接続する第２のコネクタを備え、
前記電子機器が前記電子装置本体に挿入されるときに、前記電子装置本体と前記静電気除去手段とが電気的に接続することにより、前記電子機器に帯電した静電気を前記静電気除去手段を通して前記電子装置本体へ放電し、前記電子装置本体への前記電子機器の挿入が完了した状態では、前記電子機器と前記電子装置本体は前記第１のコネクタと前記第２のコネクタを介してのみ電気的に接続されるように構成されている、電子装置。
【請求項２】
電子装置本体と、前記電子装置本体に対して脱着可能な電子機器とから構成される電子装置であって、
前記電子機器は、電子回路を有するユニットと、前記ユニットに接続される第１のコネクタと、前記第１のコネクタを組み込むホルダと、前記電子機器を前記電子装置本体へ挿入するための案内レールと、前記電子機器に帯電した静電気を除去する静電気除去手段と、を備え、
前記電子装置本体は、前記第１のコネクタに接続する第２のコネクタと、前記電子機器の挿入位置を決めるために前記案内レールに対向するように配置された案内レール溝と、を備え、
前記電子機器が前記電子装置本体に挿入されるときに、前記静電気除去手段と前記案内レール溝とが電気的に接続することにより、前記電子機器に帯電した静電気を前記静電気除去手段を通して前記電子装置本体へ放電し、前記電子装置本体への前記電子機器の挿入が完了した状態では、前記電子機器と前記電子装置本体は前記第１のコネクタと前記第２のコネクタを介してのみ電気的に接続されるように構成されている、電子装置。
【請求項３】
電子装置本体と、前記電子装置本体に対して脱着可能な電子機器とから構成される電子装置であって、
前記電子機器は、電子回路と、前記電子回路に接続される第１のコネクタと、を備え、
前記電子装置本体は、前記第１のコネクタに接続する第２のコネクタと、前記電子機器に帯電した静電気を除去する静電気除去手段と、を備え、
前記電子機器が前記電子装置本体に挿入されるときに、前記電子機器と前記静電気除去手段とが電気的に接続することにより、前記電子機器に帯電した静電気を前記静電気除去手段を通して前記電子装置本体へ放電し、前記電子装置本体への前記電子機器の挿入が完了した状態では、前記電子機器と前記電子装置本体は前記第１のコネクタと前記第２のコネクタを介してのみ電気的に接続されるように構成されている、電子装置。
【請求項４】
電子装置本体と、前記電子装置本体に対して脱着可能な電子機器とから構成される電子装置であって、
前記電子機器は、電子回路を有するユニットと、前記ユニットに接続される第１のコネクタと、前記第１のコネクタを組み込むホルダと、前記電子機器を前記電子装置本体へ挿入するための案内レールと、を備え、
前記電子装置本体は、前記第１のコネクタに接続する第２のコネクタと、前記電子機器の挿入位置を決めるために前記案内レールに対向するように配置された案内レール溝と、前記電子機器に帯電した静電気を除去する静電気除去手段と、を備え、
前記電子機器が前記電子装置本体に挿入されるときに、前記静電気除去手段と前記ホルダとが電気的に接続することにより、前記電子機器に帯電した静電気を前記静電気除去手段を通して前記電子装置本体へ放電し、前記電子装置本体への前記電子機器の挿入が完了した状態では、前記電子機器と前記電子装置本体は前記第１のコネクタと前記第２のコネクタを介してのみ電気的に接続されるように構成されている、電子装置。
【請求項５】
請求項１乃至請求項４のうち何れか１項に記載の電子装置であって、
前記静電気除去手段は、可撓性を有する材料から成り、前記電子装置本体を通して接地されている、電子装置。
【請求項６】
請求項１乃至請求項４のうち何れか１項に記載の電子装置であって、
前記静電気除去手段は、電気抵抗２．５×１０5Ω以上の材質から成る、電子装置。
【請求項７】
請求項１乃至請求項４のうち何れか１項に記載の電子装置であって、
前記電子機器は、磁気ディスク装置を有する磁気ディスクユニットであり、
前記電子装置本体は、複数の磁気ディスク装置を制御する記憶システム装置本体である、電子装置。
【請求項８】
請求項１乃至請求項４のうち何れか１項に記載の電子装置であって、
前記静電気除去手段は、前記電子機器を前記電子装置本体に挿入するときに前記電子機器を前記電子装置本体に押圧付勢する付勢手段である、電子装置。
【請求項９】
電子装置本体に対して脱着自在に構成された電子機器であって、
電子回路を有するユニットと、
前記ユニットに接続されるコネクタと、
前記コネクタを組み込むホルダと、
前記電子機器に帯電した静電気を除去する静電気除去手段と、
を備え、
前記電子装置本体に挿入されるときに、前記電子装置本体と前記静電気除去手段とが電気的に接続することにより、前記電子機器に帯電した静電気を前記静電気除去手段を通して前記電子装置本体へ放電する、電子機器。
【請求項１０】
案内レールを備えた電子機器が着脱できるように構成された電子装置本体であって、
前記電子機器の挿入位置を決めるために前記案内レールに対向するように配置された案内レール溝と、
前記電子機器に接続するためのコネクタと、
前記電子機器に帯電した静電気を除去するための静電気除去手段と、を備え、
前記電子機器が前記電子装置本体に挿入されるときに、前記静電気除去手段と前記電子機器とが電気的に接続することにより、前記電子機器に帯電した静電気を前記静電気除去手段を通して前記電子装置本体へ放電し、前記電子装置本体への前記電子機器の挿入が完了した状態では、前記電子機器と前記電子装置本体は前コネクタを介してのみ電気的に接続されるように構成されている、電子装置本体。
【請求項１１】
記憶システム装置本体と、前記記憶システム装置本体に対して脱着可能な磁気ディスクユニットとから構成される記憶システム装置であって、
前記磁気ディスクユニットは、電子回路と、前記電子回路に接続される第１のコネクタと、前記第１のコネクタを組み込むホルダと、前記磁気ディスクユニットを前記記憶システム装置本体へ挿入するための案内レールと、前記磁気ディスクユニットに帯電した静電気を除去する除電ブラシと、を備え、
前記記憶システム装置本体は、前記第１のコネクタに接続する第２のコネクタと、前記磁気ディスクユニットの挿入位置を決めるために前記案内レールに対向するように配置された案内レール溝と、を備え、
前記磁気ディスクユニットが前記記憶システム装置本体に挿入されるときに、前記除電ブラシと前記案内レール溝とが電気的に接続することにより、前記磁気ディスクユニットに帯電した静電気を前記除電ブラシを通して前記記憶システム装置本体へ放電し、前記記憶システム装置本体への前記磁気ディスクユニットの挿入が完了した状態では、前記磁気ディスクユニットと前記記憶システム装置本体は前記第１のコネクタと前記第２のコネクタを介してのみ電気的に接続されるように構成されている、記憶システム装置。
【請求項１２】
記憶システム装置本体と、前記記憶システム装置本体に対して脱着可能な磁気ディスクユニットとから構成される記憶システム装置であって、
前記磁気ディスクユニットは、電子回路と、前記電子回路に接続される第１のコネクタと、前記第１のコネクタを組み込むホルダと、前記磁気ディスクユニットを前記記憶システム装置本体へ挿入するための案内レールと、を備え、
前記記憶システム装置本体は、前記第１のコネクタに接続する第２のコネクタと、前記磁気ディスクユニットの挿入位置を決めるために前記案内レールに対向するように配置された案内レール溝と、前記磁気ディスクユニットに帯電した静電気を除去する除電ブラシと、を備え、
前記磁気ディスクユニットが前記記憶システム装置本体に挿入されるときに、前記除電ブラシと前記ホルダとが電気的に接続することにより、前記磁気ディスクユニットに帯電した静電気を前記除電ブラシを通して前記記憶システム装置本体へ放電し、前記記憶システム装置本体への前記磁気ディスクユニットの挿入が完了した状態では、前記磁気ディスクユニットと前記記憶システム装置本体は前記第１のコネクタと前記第２のコネクタを介してのみ電気的に接続されるように構成されている、記憶システム装置。